(57)【要約】【課題】小型化を図りつつ信号の劣化を防止すること。【解決手段】レセプタクルは、筒状の外郭と、当該外郭内に設けられ、複数の対となる差動信号がそれぞれ割り当てられる複数の対となるメス側第１，第２差動コンタクト９１６，９１７、及びグランドがそれぞれ割り当てられる複数のメス側グランドコンタクト９１８を有する複数の第１メスコンタクト９１４とを備える。複数の第１メスコンタクト９１４は、外郭の中心軸Ａｘ´に沿う方向から見て、対となるメス側第１，第２差動コンタクト９１６，９１７同士が隣り合い、かつ、対となるメス側第１，第２差動コンタクト９１６，９１７のうちメス側第１差動コンタクト９１６に隣り合うメス側グランドコンタクト９１８の数とメス側第２差動コンタクト９１７に隣り合うメス側グランドコンタクト９１８の数とが等しくなるように、二列で並設されている。【選択図】図１０
2015181096.tif 000002
【特許請求の範囲】
【請求項１】
筒状の外郭と、
前記外郭内に設けられ、複数の対となる差動信号がそれぞれ割り当てられる複数の対となる差動コンタクト、及びグランドがそれぞれ割り当てられる複数のグランドコンタクトを有する複数のコンタクトとを備え、
前記複数のコンタクトは、
前記外郭の中心軸に沿う方向から見て、前記対となる差動コンタクト同士が隣り合い、かつ、前記対となる差動コンタクトのうち一方の差動コンタクトに隣り合う前記グランドコンタクトの数と他方の差動コンタクトに隣り合う前記グランドコンタクトの数とが等しくなるように、二列で並設されている
ことを特徴とする配線接続装置。
【請求項２】
前記複数のコンタクトは、
前記外郭の中心軸に沿う方向から見て、隣り合う格子点同士の間隔が等しい正三角格子の一部を構成するように配設されている
ことを特徴とする請求項１に記載の配線接続装置。
【請求項３】
前記複数の対となる差動コンタクトは、
一対毎に、一方の前記差動コンタクトが前記二列における第１列目に配設され、他方の前記差動コンタクトが前記二列における第２列目に配設されている
ことを特徴とする請求項１または２に記載の配線接続装置。
【請求項４】
前記複数の対となる差動コンタクトは、
一対毎に、前記二列における第１列目または第２列目に配設されている
ことを特徴とする請求項１または２に記載の配線接続装置。
【請求項５】
前記複数のコンタクトは、
前記外郭の中心軸に沿う方向から見て、前記二列における第１列目または第２列目の並設方向に沿う第１側壁部、及び前記第１側壁部に交差する第２側壁部を有するＬ字状の第１接触部を備えたメスコンタクトでそれぞれ構成され、前記並設方向に沿って隣り合う前記第２側壁部同士の各離間距離が同一になるようにそれぞれ配設されている
ことを特徴とする請求項１〜４のいずれか一つに記載の配線接続装置。
【請求項６】
前記複数のコンタクトは、
前記二列における第１列目または第２列目の並設方向に沿う板状の第２接触部を備えたメスコンタクトでそれぞれ構成されている
ことを特徴とする請求項１〜４のいずれか一つに記載の配線接続装置。
【請求項７】
前記複数のコンタクトは、
前記外郭の中心軸に沿う方向から見て、前記二列における第１列目または第２列目の並設方向に沿う基部、及び前記基部から立設し前記並設方向に沿って互いに対向する一対の第３側壁部を有するＵ字状の第３接触部を備えたメスコンタクトでそれぞれ構成されている
ことを特徴とする請求項１〜４のいずれか一つに記載の配線接続装置。
【請求項８】
前記複数の対となる差動コンタクトは、
一対毎に、一方の前記差動コンタクトが前記第１列目に配設され、他方の前記差動コンタクトが前記第２列目に配設され、
前記一方の差動コンタクト及び前記他方の差動コンタクトは、
当該一方の差動コンタクト及び他方の差動コンタクト間の中心に位置する点を基準として対称となるように配設されている
ことを特徴とする請求項５〜７のいずれか一つに記載の配線接続装置。
【請求項９】
前記複数のコンタクトは、
前記外郭の中心軸に沿う方向から見て、前記対となる差動コンタクトのうち一方の差動コンタクトに隣り合う前記グランドコンタクトの数と他方の差動コンタクトに隣り合う前記グランドコンタクトの数とが１つとなるように配設されている
ことを特徴とする請求項１〜８のいずれか一つに記載の配線接続装置。
【請求項１０】
内視鏡に用いられるカメラヘッドにおいて、
請求項１〜９のいずれか一つに記載の配線接続装置と、
前記複数のコンタクトに電気的に接続する撮像素子とを備える
ことを特徴とするカメラヘッド。
【請求項１１】
前記配線接続装置は、
相手方と機械的及び電気的に接続するコネクタで構成されるとともに、第１コネクタ及び第２コネクタの２つ設けられている
ことを特徴とする請求項１０に記載のカメラヘッド。
【請求項１２】
請求項１０または１１に記載のカメラヘッドを備える
ことを特徴とする内視鏡装置。
【発明の詳細な説明】
【技術分野】
【０００１】
本発明は、配線接続装置、カメラヘッド、及び内視鏡装置に関する。
【背景技術】
【０００２】
従来、相手方と機械的及び電気的に接続するプラグやレセプタクル等のコネクタが知られている（例えば、特許文献１参照）。
特許文献１に記載のコネクタは、一列で並設された複数のコンタクトを備える。複数のコンタクトは、複数の対となる差動コンタクトと、複数のグランドコンタクトとを備える。複数の対となる差動コンタクトは、複数の対となる差動信号がそれぞれ割り当てられるコンタクトである。複数のグランドコンタクトは、グランドがそれぞれ割り当てられるコンタクトであり、一組の差動コンタクトと他の一組の差動コンタクトとの間にそれぞれ配置される。
すなわち、特許文献１に記載のコネクタは、上記の位置にグランドコンタクトを配置することにより、クロストークを防止している。
【先行技術文献】
【特許文献】
【０００３】
【特許文献１】特開２０１０−２８７５６０号公報
【発明の概要】
【発明が解決しようとする課題】
【０００４】
しかしながら、特許文献１に記載のコネクタでは、複数のコンタクトが一列で並設されているため、並設方向に沿った幅寸法が大きくなってしまい、小型化が図れない、という問題がある。
【０００５】
本発明は、上記に鑑みてなされたものであって、小型化を図りつつ信号の劣化を防止することができる配線接続装置、カメラヘッド、及び内視鏡装置を提供することを目的とする。
【課題を解決するための手段】
【０００６】
上述した課題を解決し、目的を達成するために、本発明に係る配線接続装置は、筒状の外郭と、前記外郭内に設けられ、複数の対となる差動信号がそれぞれ割り当てられる複数の対となる差動コンタクト、及びグランドがそれぞれ割り当てられる複数のグランドコンタクトを有する複数のコンタクトとを備え、前記複数のコンタクトは、前記外郭の中心軸に沿う方向から見て、前記対となる差動コンタクト同士が隣り合い、かつ、前記対となる差動コンタクトのうち一方の差動コンタクトに隣り合う前記グランドコンタクトの数と他方の差動コンタクトに隣り合う前記グランドコンタクトの数とが等しくなるように、二列で並設されていることを特徴とする。
【０００７】
また、本発明に係る配線接続装置は、上記発明において、前記複数のコンタクトは、前記外郭の中心軸に沿う方向から見て、隣り合う格子点同士の間隔が等しい正三角格子の一部を構成するように配設されていることを特徴とする。
【０００８】
また、本発明に係る配線接続装置は、上記発明において、前記複数の対となる差動コンタクトは、一対毎に、一方の前記差動コンタクトが前記二列における第１列目に配設され、他方の前記差動コンタクトが前記二列における第２列目に配設されていることを特徴とする。
【０００９】
また、本発明に係る配線接続装置は、上記発明において、前記複数の対となる差動コンタクトは、一対毎に、前記二列における第１列目または第２列目に配設されていることを特徴とする。
【００１０】
また、本発明に係る配線接続装置は、上記発明において、前記複数のコンタクトは、前記外郭の中心軸に沿う方向から見て、前記二列における第１列目または第２列目の並設方向に沿う第１側壁部、及び前記第１側壁部に交差する第２側壁部を有するＬ字状の第１接触部を備えたメスコンタクトでそれぞれ構成され、前記並設方向に沿って隣り合う前記第２側壁部同士の各離間距離が同一になるようにそれぞれ配設されていることを特徴とする。
【００１１】
また、本発明に係る配線接続装置は、上記発明において、前記複数のコンタクトは、前記二列における第１列目または第２列目の並設方向に沿う板状の第２接触部を備えたメスコンタクトでそれぞれ構成されていることを特徴とする。
【００１２】
また、本発明に係る配線接続装置は、上記発明において、前記複数のコンタクトは、前記外郭の中心軸に沿う方向から見て、前記二列における第１列目または第２列目の並設方向に沿う基部、及び前記基部から立設し前記並設方向に沿って互いに対向する一対の第３側壁部を有するＵ字状の第３接触部を備えたメスコンタクトでそれぞれ構成されていることを特徴とする。
【００１３】
また、本発明に係る配線接続装置は、上記発明において、前記複数の対となる差動コンタクトは、一対毎に、一方の前記差動コンタクトが前記第１列目に配設され、他方の前記差動コンタクトが前記第２列目に配設され、前記一方の差動コンタクト及び前記他方の差動コンタクトは、当該一方の差動コンタクト及び他方の差動コンタクト間の中心に位置する点を基準として対称となるように配設されていることを特徴とする。
【００１４】
また、本発明に係る配線接続装置は、上記発明において、前記複数のコンタクトは、前記外郭の中心軸に沿う方向から見て、前記対となる差動コンタクトのうち一方の差動コンタクトに隣り合う前記グランドコンタクトの数と他方の差動コンタクトに隣り合う前記グランドコンタクトの数とが１つとなるように配設されていることを特徴とする。
【００１５】
また、本発明に係るカメラヘッドは、内視鏡に用いられるカメラヘッドにおいて、上述した配線接続装置と、前記複数のコンタクトに電気的に接続する撮像素子とを備えることを特徴とする。
【００１６】
また、本発明に係るカメラヘッドは、上記発明において、前記配線接続装置は、相手方と機械的及び電気的に接続するコネクタで構成されるとともに、第１コネクタ及び第２コネクタの２つ設けられていることを特徴とする。
【００１７】
また、本発明に係る内視鏡装置は、上述したカメラヘッドを備えることを特徴とする。
【発明の効果】
【００１８】
本発明に係る配線接続装置では、複数のコンタクトは、外郭の中心軸に沿う方向から見て、二列で並設されている。このため、複数のコンタクトが一列で並設された配設接続装置（例えば、特許文献１に記載のコネクタ）と比較して、並設方向に沿った幅寸法が大きくなることを回避することができる。
また、本発明に係る配線接続装置では、複数のコンタクトは、対となる差動コンタクト同士が隣り合い、かつ、対となる差動コンタクトのうち一方の差動コンタクトに隣り合うグランドコンタクトの数と他方の差動コンタクトに隣り合うグランドコンタクトの数とが等しくなるように配設されている。すなわち、各差動信号の所謂、グランドガード数を等しくすることができ、信号の劣化を防止することができる。
したがって、本発明に係る配線接続装置によれば、小型化を図りつつ信号の劣化を防止することができる、という効果を奏する。
【００１９】
本発明に係るカメラヘッドは、上述した配線接続装置を備えているため、上述した配線接続装置と同様の効果を奏する。
本発明に係る内視鏡装置は、上述したカメラヘッドを備えているため、上述したカメラヘッドと同様の効果を奏する。
【図面の簡単な説明】
【００２０】
【図１】図１は、本発明の実施の形態に係る内視鏡装置の概略構成を示す図である。
【図２】図２は、図１に示したカメラヘッドを基端側（複合ケーブルが接続される側）から見た斜視図である。
【図３】図３は、図２に示した気密部を基端側（光電複合モジュールが接続される側）から見た斜視図である。
【図４】図４は、図３に示したハーメチックコネクタを気密部の内部側から見た斜視図である。
【図５】図５は、図３に示したハーメチックコネクタを気密部の外部側（複合ケーブルが接続される側）から見た図である。
【図６】図６は、本発明の実施の形態に係る光電複合モジュールを先端側（気密部が接続される側）から見た斜視図である。
【図７】図７は、図６に示した光電複合モジュールの内部構造を基端側（複合ケーブルが接続される側）から見た分解斜視図である。
【図８】図８は、図６または図７に示したレセプタクルを基端側（第１，第２プリント基板が接続される側）から見た斜視図である。
【図９】図９は、図８に示した複数のメスコンタクトの配列状態を示す図である。
【図１０】図１０は、図８または図９に示した複数の第１メスコンタクトの配設状態、並びに複数の第１メスコンタクトに対して割り当てられる信号及びグランドを説明するための図である。
【図１１】図１１は、本発明の実施の形態の変形例を示す図である。
【図１２】図１２は、本発明の実施の形態の変形例を示す図である。
【図１３】図１３は、本発明の実施の形態の変形例を示す図である。
【発明を実施するための形態】
【００２１】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２２】
〔内視鏡装置の概略構成〕
図１は、本発明の実施の形態に係る内視鏡装置１の概略構成を示す図である。
内視鏡装置１は、医療分野において用いられ、人等の観察対象物の内部（生体内）を観察する装置である。なお、本実施の形態では、内視鏡装置１として、図１に示すように、硬性鏡（挿入部２）を用いた内視鏡装置を説明するが、これに限られず、軟性鏡（図示略）を用いた内視鏡装置としても構わない。
この内視鏡装置１は、図１に示すように、挿入部２と、光源装置３と、ライトガイド４と、カメラヘッド５と、複合ケーブル６と、表示装置７と、制御装置８とを備える。
【００２３】
挿入部２は、硬質で細長形状を有し、観察対象物内に挿入される。なお、この挿入部２内には、被写体像を集光する光学系が設けられている。
光源装置３は、ライトガイド４の一端が接続され、当該ライトガイド４の一端に観察対象物内を照明するための光を供給する。
ライトガイド４は、一端が光源装置３に着脱自在に接続されるとともに、他端が挿入部２に着脱自在に接続される。そして、ライトガイド４は、光源装置３から供給された光を一端から他端に伝達し、挿入部２に供給する。挿入部２に供給された光は、当該挿入部２の先端から出射され、観察対象物内に照射される。そして、観察対象物内に照射された光（被写体像）は、挿入部２内の光学系により集光される。
【００２４】
カメラヘッド５は、挿入部２の基端に着脱自在に接続される。そして、カメラヘッド５は、制御装置８による制御の下、挿入部２にて集光された被写体像を撮像し、当該撮像による撮像信号（電気信号）を光信号に光電変換して出力する。
本実施の形態では、差動伝送方式を採用しており、カメラヘッド５の撮像により得られた情報（撮像信号（電気信号及び光信号））は、複数の対となる差動信号（＋）及び差動信号（−）として、複合ケーブル６を介して制御装置８に伝送される。ここで、差動信号（＋）及び差動信号（−）は、互いに逆位相となる信号である。
なお、カメラヘッド５の詳細な構成については、後述する。
【００２５】
複合ケーブル６は、最外層である外被６Ａ（図７参照）の内側に、複数の光ファイバ６１（図７参照）と、複数の電気信号ケーブル６２（図７参照）とを有する複合ケーブルであり、一端が制御装置８に着脱自在に接続され、他端がカメラヘッド５に着脱自在に接続される。
複数の光ファイバ６１は、複合ケーブル６の断面を見た場合に、当該複合ケーブル６の中心位置に配設され、カメラヘッド５及び制御装置８間で光信号を伝送する。
複数の電気信号ケーブル６２は、複合ケーブル６の断面を見た場合に、複数の光ファイバ６１の周囲に配設され、カメラヘッド５及び制御装置８間で電気信号を伝送する。
【００２６】
表示装置７は、制御装置８による制御の下、画像を表示する。
制御装置８は、複数の光ファイバ６１を介してカメラヘッド５から出力された光信号（差動信号（＋）及び差動信号（−））を取得し、当該光信号を電気信号に光電変換する。そして、制御装置８は、光電変換した電気信号に対して所定の処理を施すことで、カメラヘッド５で撮像された画像を表示装置７に表示させる。また、制御装置８は、複数の電気信号ケーブル６２を介してカメラヘッド５に対して制御信号等（電気信号）を出力する。
【００２７】
〔カメラヘッドの構成〕
図２は、カメラヘッド５を基端側（複合ケーブル６が接続される側）から見た斜視図である。
カメラヘッド５は、図２に示すように、カプラー部５１と、気密部５２と、光電複合モジュール９（図６参照）とを備える。
なお、図２では、気密部５２の基端側及び光電複合モジュール９を覆う筒状のカバー部５３が取り付けられた状態が図示されているため、光電複合モジュール９は、図示されていない。
カプラー部５１は、カメラヘッド５を挿入部２の基端に着脱自在に接続するために用いられ、当該カメラヘッド５の先端に設けられている。
【００２８】
図３は、気密部５２を基端側（光電複合モジュール９が接続される側）から見た斜視図である。
気密部５２は、図２または図３に示すように、外装を構成するケーシング５２１と、ケーシング５２１に取り付けられたハーメチックコネクタ５２２（図３）と、ケーシング５２１内に気密に収納されたレンズユニット（図示略）、駆動用モータ（図示略）、及び撮像素子５２３（図４参照）等を備える。
【００２９】
レンズユニットは、挿入部２にて集光された被写体像を撮像素子５２３の撮像面に結像する。そして、レンズユニットは、光軸方向に移動可能に構成されている。
駆動用モータは、ケーシング５２１の外面に露出して設けられたスイッチ５２１Ａ〜５２１Ｄ（図２，図３）が押下されることにより、レンズユニットを光軸に沿って移動させ、当該レンズユニットの焦点距離やピントの調整を行う。
撮像素子５２３は、レンズユニットが集光した光を受光して電気信号に変換するＣＣＤ（Charge  Coupled  Device）またはＣＭＯＳ（Complementary  Metal  Oxide  Semiconductor）と、当該ＣＣＤまたはＣＭＯＳから出力される電気信号に対して信号処理を施し、複数の対となる差動信号（＋）及び差動信号（−）を出力する信号処理部等を備える。
【００３０】
図４は、ハーメチックコネクタ５２２を気密部５２の内部側から見た斜視図である。図５は、ハーメチックコネクタ５２２を気密部５２の外部側（複合ケーブル６が接続される側）から見た図である。
ハーメチックコネクタ５２２は、本発明に係る配線接続装置（第１コネクタ）に相当する部材であり、図３に示すように、ケーシング５２１の基端側（光電複合モジュール９が接続される側）に取り付けられる。
このハーメチックコネクタ５２２は、丸型コネクタであり、図３ないし図５に示すように、第２外郭５２２Ａと、板体５２２Ｂと、複数のオスコンタクト５２２Ｃとを備える。
第２外郭５２２Ａは、金属材料から構成され、円筒形状を有する。なお、第２外郭５２２Ａは、筒状であれば、円筒形状に限られず、楕円、四角、多角形等の断面形状を有する筒体で構成しても構わない。
【００３１】
板体５２２Ｂは、金属材料から構成され、円板形状を有する。そして、板体５２２Ｂは、第２外郭５２２Ａ内を閉塞する。
この板体５２２Ｂには、図５に示すように、複数のオスコンタクト５２２Ｃがそれぞれ挿通される複数の開口部５２２Ｂ１が形成されている。
これら複数の開口部５２２Ｂ１は、平面視で円形状を有する。そして、複数の開口部５２２Ｂ１は、図５に示すように、複数のオスコンタクト５２２Ｃがそれぞれ挿通された状態で絶縁材料（本実施の形態では、ガラス材）から構成された円板状の複数の絶縁部材５２２Ｂ２でそれぞれ封止されている。
【００３２】
複数のオスコンタクト５２２Ｃは、それぞれ円柱形状を有する。そして、複数のオスコンタクト５２２Ｃは、複数の開口部５２２Ｂ１にそれぞれ挿通され、複数の絶縁部材５２２Ｂ２により互いに絶縁された状態で板体５２２Ｂに取り付けられる。
以下では、複数のオスコンタクト５２２Ｃのうち、図４または図５に一点鎖線で示した第１領域Ａｒ１内に設けられたオスコンタクト５２２Ｃを第１オスコンタクト５２２Ｄとする。また、複数のオスコンタクト５２２Ｃのうち、図４または図５に二点鎖線で示した２つの第２領域Ａｒ２内に設けられたオスコンタクト５２２Ｃを第２オスコンタクト５２２Ｅとする。
ここで、第１領域Ａｒ１は、第２外郭５２２Ａの中心軸Ａｘに沿う方向から見て、第２外郭５２２Ａ内において、中心軸Ａｘを含み、中心軸Ａｘに直交する第１方向（図４または図５中、左右方向）に沿って延びる帯状の領域である。また、２つの第２領域Ａｒ２は、第２外郭５２２Ａ内における第１領域Ａｒ１以外の領域であり、第１領域Ａｒ１に平行となり、上記第１方向に沿ってそれぞれ延びる帯状の領域である。
【００３３】
複数の第１オスコンタクト５２２Ｄは、本発明に係るコンタクトに相当する部材である。そして、複数の第１オスコンタクト５２２Ｄは、第１領域Ａｒ１内において、隣り合う格子点同士の間隔が等しい正三角格子の一部を構成するように（当該正三角格子の一部を構成する各格子点に複数の第１オスコンタクト５２２Ｄがそれぞれ配設されるように）、図４中、上下方向に並ぶ二列で並設されている。
より具体的に、上側の第１列目に並設された複数（本実施の形態では「６本」）の第１オスコンタクト５２２Ｄは、第１のピッチＰ１（図４，図５）で並設されている。下側の第２列目に並設された複数（本実施の形態では「５本」）の第１オスコンタクト５２２Ｄは、第１列目に並設された６本の第１オスコンタクト５２２Ｄと同様に第１のピッチＰ１で並設されているとともに、図４または図５中、上側から見た場合に、第１列目に並設された隣接する各第１オスコンタクト５２２Ｄの中心位置にそれぞれ配設されている。
以上説明した複数の第１オスコンタクト５２２Ｄは、差動伝送に用いられるコンタクトである。そして、以下では、複数の第１オスコンタクト５２２Ｄのうち、差動信号（＋）が割り当てられた第１オスコンタクト５２２Ｄをオス側第１差動コンタクト５２２Ｆ（図５）とする。また、複数の第１オスコンタクト５２２Ｄのうち、差動信号（−）が割り当てられた第１オスコンタクト５２２Ｄをオス側第２差動コンタクト５２２Ｇ（図５）とする。さらに、複数の第１オスコンタクト５２２Ｄのうち、グランドが割り当てられた第１オスコンタクト５２２Ｄをオス側グランドコンタクト５２２Ｈ（図５）とする。
なお、オス側第１差動コンタクト５２２Ｆ、オス側第２差動コンタクト５２２Ｇ、及びオス側グランドコンタクト５２２Ｈの配設状態（配列）については、後述する複数の第１メスコンタクト９１４を構成するメス側第１差動コンタクト９１６、メス側第２差動コンタクト９１７、及びメス側グランドコンタクト９１８の配設状態と同様である。そして、当該配設状態については、後述する。
【００３４】
ここで、オス側第１，第２差動コンタクト５２２Ｆ，５２２Ｇが挿通される開口部５２２Ｂ１と、オス側グランドコンタクト５２２Ｈが挿通される開口部５２２Ｂ１とは、図５に示すように、開口面積（径）が異なるように形成されている。また、これに伴い各絶縁部材５２２Ｂ２のサイズも異なるように形成されている。
具体的に、オス側第１，第２差動コンタクト５２２Ｆ，５２２Ｇが挿通される開口部５２２Ｂ１は、同一の開口面積（径）となるように形成されている。一方、オス側グランドコンタクト５２２Ｈが挿通される開口部５２２Ｂ１は、その開口面積（径）がオス側第１，第２差動コンタクト５２２Ｆ，５２２Ｇの開口面積（径）よりも小さくなるように形成されている。
なお、複数の第２オスコンタクト５２２Ｅが挿通される開口部５２２Ｂ１は、図５に示すように、オス側グランドコンタクト５２２Ｈが挿通される開口部５２２Ｂ１と同一の開口面積（径）となるように形成されている。
【００３５】
複数の第２オスコンタクト５２２Ｅは、各第２領域Ａｒ２内において、図４中、上下方向に並ぶ二列で並設されている。
より具体的に、図４中、下側の第２領域Ａｒ２内において、上側の第１列目に並設された複数の第２オスコンタクト５２２Ｅは、第１のピッチＰ１よりも小さい第２のピッチＰ２（図４）で並設されている。下側の第２列目に並設された複数の第２オスコンタクト５２２Ｅは、第１列目に並設された複数の第２オスコンタクト５２２Ｅと同様に第２のピッチＰ２で並設されているとともに、図４中、上側から見た場合に、第１列目に並設された隣接する各第２オスコンタクト５２２Ｅの中心位置にそれぞれ配設されている。
なお、図４中、上側の第２領域Ａｒ２に配設された複数の第２オスコンタクト５２２Ｅは、中心軸Ａｘを通り当該第２オスコンタクト５２２Ｅの並設方向と平行な面を基準として、下側の第２領域Ａｒ２に配設された複数の第２オスコンタクト５２２Ｅに対称となる位置にそれぞれ配設されている。
【００３６】
そして、ハーメチックコネクタ５２２において、気密部５２の内部側には、図４に示すように、複数のオスコンタクト５２２Ｃと撮像素子５２３とを中継（電気的に接続）する気密部側プリント基板５２４が取り付けられている。
気密部側プリント基板５２４は、撮像素子５２３から出力された撮像信号（複数の対となる差動信号（＋）及び差動信号（−））を複数の第１オスコンタクト５２２Ｄに中継する。また、気密部側プリント基板５２４は、制御装置８から出力され、複合ケーブル６、光電複合モジュール９、及び複数の第２オスコンタクト５２２Ｅを介した制御信号等（電気信号）を撮像素子５２３に中継する。
【００３７】
〔光電複合モジュールの構成〕
図６は、光電複合モジュール９を先端側（気密部５２が接続される側）から見た斜視図である。図７は、光電複合モジュール９の内部構造を基端側（複合ケーブル６が接続される側）から見た分解斜視図である。
光電複合モジュール９は、ハーメチックコネクタ５２２に機械的及び電気的に接続する。そして、光電複合モジュール９は、撮像素子５２３から出力された撮像信号（複数の対となる差動信号（＋）及び差動信号（−））を光信号に変換して複合ケーブル６（複数の光ファイバ６１）に出力する。また、光電複合モジュール９は、制御装置８から出力され複数の電気信号ケーブル６２を介した制御信号等（電気信号）を、ハーメチックコネクタ５２２（撮像素子５２３）に中継する。
この光電複合モジュール９は、図６または図７に示すように、レセプタクル９１と、第１プリント基板９２（図７）と、２つの第２プリント基板９３（図７）と、レセプタクル９１の基端側（ハーメチックコネクタ５２２が接続される側の反対側）を被覆する筒状の被覆部材９４（図６）とを備える。
【００３８】
〔レセプタクルの構成〕
図８は、レセプタクル９１を基端側（第１，第２プリント基板９２，９３が配設される側）から見た斜視図である。
レセプタクル９１は、本発明に係る配線接続装置（第２コネクタ）に相当する部材であり、ハーメチックコネクタ５２２に機械的及び電気的に接続する丸型コネクタで構成され、光電複合モジュール９の先端に設けられている。
このレセプタクル９１は、図８に示すように、第１外郭９１１と、インシュレータ９１２と、複数のメスコンタクト９１３とを備える。
第１外郭９１１は、金属材料から構成され、円筒形状を有する。なお、第１外郭９１１は、筒状であれば、円筒形状に限られず、楕円、四角、多角形等の断面形状を有する筒体で構成しても構わない。
【００３９】
インシュレータ９１２は、絶縁材料から構成され、第１外郭９１１内を閉塞する。
このインシュレータ９１２には、図６ないし図８に示すように、ハーメチックコネクタ５２２及びレセプタクル９１が接続される際に、ハーメチックコネクタ５２２の複数のオスコンタクト５２２Ｃを挿入可能とする複数の挿入孔９１２Ａが形成されている。
複数の挿入孔９１２Ａは、第１外郭９１１の中心軸Ａｘ´（図８）に沿う方向から見て、レセプタクル９１の先端側（ハーメチックコネクタ５２２が接続される側）がオスコンタクト５２２Ｃの形状（円柱形状）に対応して断面視円形状を有し、レセプタクル９１の基端側が当該先端側を囲む断面視矩形形状を有する段付き状に形成されている。
【００４０】
〔メスコンタクトの構成〕
複数のメスコンタクト９１３は、図８に示すように、複数の挿入孔９１２Ａ内の基端側にそれぞれ設けられている。そして、複数のメスコンタクト９１３は、ハーメチックコネクタ５２２の複数のオスコンタクト５２２Ｃが複数の挿入孔９１２Ａにそれぞれ挿入された際に、当該複数のオスコンタクト５２２Ｃと電気的に接続する。
【００４１】
図９は、複数のメスコンタクト９１３の配列状態を示す図である。
以下では、複数のメスコンタクト９１３のうち、図９に一点鎖線で示した第１領域Ａｒ１´内に設けられたメスコンタクト９１３を第１メスコンタクト９１４とする。また、複数のメスコンタクト９１３のうち、図９に二点鎖線で示した２つの第２領域Ａｒ２´に設けられたメスコンタクト９１３を第２メスコンタクト９１５とする。
ここで、第１領域Ａｒ１´は、図４または図５に示した第１領域Ａｒ１に対向する領域であり、第１外郭９１１の中心軸Ａｘ´（図９）に沿う方向から見て、第１外郭９１１内において、中心軸Ａｘ´を含み、中心軸Ａｘ´に直交する第１方向（図９中、左右方向）に沿って延びる帯状の領域である。言い換えれば、第１領域Ａｒ１´は、中心軸Ａｘ´に沿う方向から見て、中心軸Ａｘ´を含む径方向に延びる帯状の領域である。また、２つの第２領域Ａｒ２´は、図４に示した第２領域Ａｒ２に対向する領域であり、第１外郭９１１内における第１領域Ａｒ１´以外の領域であり、第１領域Ａｒ１´に平行となり、上記第１方向に沿ってそれぞれ延びる帯状の領域である。
【００４２】
〔第１メスコンタクトの構成〕
複数の第１メスコンタクト９１４は、本発明に係るコンタクトに相当する部材であり、複数の第１オスコンタクト５２２Ｄと同様に配列されている。すなわち、複数の第１メスコンタクト９１４は、第１領域Ａｒ１´内において、隣り合う格子点同士の間隔が等しい正三角格子の一部を構成するように（当該正三角格子の一部を構成する各格子点に複数の第１メスコンタクト９１４（後述する第１接触部９１４Ａの重心位置）がそれぞれ配設されるように）、図９中、上下方向に並ぶ二列（第１列目が「６つ」、第２列目が「５つ」）で並設されている。また、複数の第１メスコンタクト９１４は、第１のピッチＰ１で並設されている。
【００４３】
また、複数の第１メスコンタクト９１４は、同一の形状を有する。以下では、一つの第１メスコンタクト９１４の形状を説明する。
第１メスコンタクト９１４は、図８または図９に示すように、第１接触部９１４Ａと、第１ピン状部９１４Ｂとを備える。
第１接触部９１４Ａは、挿入孔９１２Ａ内に設けられ、中心軸Ａｘ´に沿う方向から見て略Ｌ字形状を有し、当該中心軸Ａｘ´に沿って延びるように形成されている。
具体的に、第１接触部９１４Ａは、図９に示すように、中心軸Ａｘ´に沿う方向から見て、第１メスコンタクト９１４の並設方向に沿う板状の第１側壁部９１４Ａ１と、当該第１側壁部９１４Ａ１に直交する板状の第２側壁部９１４Ａ２とを備える。
そして、第１接触部９１４Ａは、オスコンタクト５２２Ｃが挿入孔９１２Ａに挿入された際に、第１側壁部９１４Ａ１及び第２側壁部９１４Ａ２の内側部分（Ｌ字形状の内側部分）がオスコンタクト５２２Ｃの外周部分に当接し、当該オスコンタクト５２２Ｃに電気的に接続する。
【００４４】
第１ピン状部９１４Ｂは、図８に示すように、第１側壁部９１４Ａ１からレセプタクル９１の基端側（第１，第２プリント基板９２，９３が配設される側）に向けて曲面を描きながら突出し、弾性変形を可能とする板バネ状に形成されている。
【００４５】
図１０は、複数の第１メスコンタクト９１４の配設状態、並びに複数の第１メスコンタクト９１４に対して割り当てられる信号及びグランドを説明するための図である。具体的に、図１０は、図９に示した第１領域Ａｒ１´を拡大した図である。なお、図１０では、説明の便宜上、複数の第１メスコンタクト９１４のうち、第１接触部９１４Ａのみ（第１ピン状部９１４Ｂについては破断）を図示している。また、第１メスコンタクト９１４におけるＬ字形状の内側部分に付された「＋」、「−」、「Ｇ」の文字は、差動信号（＋）、差動信号（−）、及びグランドがそれぞれ割り当てられていることを示している。さらに、対となる差動信号（＋）及び差動信号（−）が割り当てられた対となる第１メスコンタクト９１４については、一点鎖線で囲んでいる。
【００４６】
そして、第１領域Ａｒ１´内において、図９または図１０中、上側の第１列目に並設された６つの第１メスコンタクト９１４は、第１側壁部９１４Ａ１が挿入孔９１２Ａ内部の上方に位置するようにそれぞれ配設される。また、第１列目に並設された６つの第１メスコンタクト９１４は、並設方向に沿って隣り合う第２側壁部９１４Ａ２同士の各離間距離Ｄ（図１０）が同一となるようにそれぞれ配設される。より具体的に、第１列目に並設された６つの第１メスコンタクト９１４は、各第２側壁部９１４Ａ２が各第１側壁部９１４Ａ１の右側（図９または図１０中の右側）に位置するようにそれぞれ配設される。
【００４７】
一方、下側の第２列目に並設された５つの第１メスコンタクト９１４は、第１側壁部９１４Ａ１が挿入孔９１２Ａ内部の下方に位置するようにそれぞれ配設される。また、第２列目に並設された５つの第１メスコンタクト９１４は、上記第１列目と同様に、並設方向に沿って隣り合う第２側壁部９１４Ａ２同士の各離間距離Ｄが同一となるようにそれぞれ配設される。より具体的に、第２列目に並設された５つの第１メスコンタクト９１４は、各第２側壁部９１４Ａ２が各第１側壁部９１４Ａ１の左側（図９または図１０中の左側）に位置するようにそれぞれ配設される。
【００４８】
以上のように配設された複数の第１メスコンタクト９１４は、以下に示すように、差動信号（＋）、差動信号（−）、及びグランドのいずれかが割り当てられる。
以下では、複数の第１メスコンタクト９１４のうち、差動信号（＋）が割り当てられた第１メスコンタクト９１４をメス側第１差動コンタクト９１６（図１０）とする。また、複数の第１メスコンタクト９１４のうち、差動信号（−）が割り当てられた第１メスコンタクト９１４をメス側第２差動コンタクト９１７（図１０）とする。さらに、複数の第１メスコンタクト９１４のうち、グランドが割り当てられた第１メスコンタクト９１４をメス側グランドコンタクト９１８（図１０）とする。
複数の第１メスコンタクト９１４は、図１０中、一点鎖線で囲まれた対となるメス側第１，第２差動コンタクト９１６，９１７同士が隣り合い、かつ、メス側第１差動コンタクト９１６に隣り合うメス側グランドコンタクト９１８の数とメス側第２差動コンタクト９１７に隣り合うメス側グランドコンタクト９１８の数とが等しくなるように、差動信号（＋）、差動信号（−）、及びグランドが割り当てられる。
【００４９】
具体的に、図１０中、上側の第１列目の左から二番目及び五番目の第１メスコンタクト９１４と、下側の第２列目の左から三番目の第１メスコンタクト９１４は、メス側グランドコンタクト９１８となる。
また、図１０中、最も左側に配設される対となるメス側第１，第２差動コンタクト９１６，９１７は、メス側第１差動コンタクト９１６が上側の第１列目の最も左側に位置し、メス側第２差動コンタクト９１７が下側の第２列目の最も左側に位置する。すなわち、当該メス側第１，第２差動コンタクト９１６，９１７に隣り合うメス側グランドコンタクト９１８の数は、図１０中、上側の第１列目の左から二番目のメス側グランドコンタクト９１８の１つのみである。
【００５０】
また、図１０中、左から二番目に配設される対となるメス側第１，第２差動コンタクト９１６，９１７は、メス側第１差動コンタクト９１６が下側の第２列目の左から二番目に位置し、メス側第２差動コンタクト９１７が上側の第１列目の左から三番目に位置する。すなわち、当該メス側第１，第２差動コンタクト９１６，９１７に隣り合うメス側グランドコンタクト９１８の数は、図１０中、上側の第１列目の左から二番目のメス側グランドコンタクト９１８、及び、下側の第２列目の左から三番目のメス側グランドコンタクト９１８の２つである。
【００５１】
また、図１０中、左から三番目に配設される対となるメス側第１，第２差動コンタクト９１６，９１７は、メス側第１差動コンタクト９１６が上側の第１列目の左から四番目に位置し、メス側第２差動コンタクト９１７が下側の第２列目の左から四番目に位置する。すなわち、当該メス側第１，第２差動コンタクト９１６，９１７に隣り合うメス側グランドコンタクト９１８の数は、図１０中、下側の第２列目の左から三番目のメス側グランドコンタクト９１８、及び上側の第１列目の左から五番目のメス側グランドコンタクト９１８の２つである。
【００５２】
また、図１０中、最も右側に配設される対となるメス側第１，第２差動コンタクト９１６，９１７は、メス側第１差動コンタクト９１６が下側の第２列目の最も右側に位置し、メス側第２差動コンタクト９１７が上側の第１列目の最も右側に位置する。すなわち、当該メス側第１，第２差動コンタクト９１６，９１７に隣り合うメス側グランドコンタクト９１８の数は、図１０中、上側の第１列目の左から五番目のメス側グランドコンタクト９１８の１つのみである。
すなわち、複数（本実施の形態では「４つ」）の対となるメス側第１，第２差動コンタクト９１６，９１７は、一方の差動コンタクトが第１列目に配設され、他方の差動コンタクトが第２列目に配設される。
【００５３】
以上のような配設状態により、４つの対となるメス側第１，第２差動コンタクト９１６，９１７は、図１０に示すように、略Ｗ字形状を形成する。また、４つの対となるメス側第１，第２差動コンタクト９１６，９１７は、一対毎に、対となるメス側第１，第２差動コンタクト９１６，９１７間の中心に位置する点Ｏ（図１０）を基準として対称な配設状態となる。
なお、複数の第１オスコンタクト５２２Ｄ（オス側第１，第２差動コンタクト５２２Ｆ，５２２Ｇ及びグランドコンタクト５２２Ｈ）の配設状態についても、上述した複数の第１メスコンタクト９１４の配設状態と同様である。
【００５４】
〔第２メスコンタクトの構成〕
複数の第２メスコンタクト９１５は、複数の第２オスコンタクト５２２Ｅと同様に配設されている。すなわち、複数の第２メスコンタクト９１５は、各第２領域Ａｒ２´内において、図９中、上下方向に並ぶ二列で並設されている。また、複数の第２メスコンタクト９１５は、第２のピッチＰ２で並設されている。
また、複数の第２メスコンタクト９１５は、同一の形状を有する。以下では、一つの第２メスコンタクト９１５の形状を説明する。
【００５５】
第２メスコンタクト９１５は、図８または図９に示すように、コンタクト本体９１５Ａと、第２ピン状部９１５Ｂとを備える。
コンタクト本体９１５Ａは、挿入孔９１２Ａ内に設けられ、中心軸Ａｘ´に沿う方向から見て略Ｕ字形状を有し、当該中心軸Ａｘ´に沿って延びるように形成されている。そして、コンタクト本体９１５Ａは、オスコンタクト５２２Ｃが挿入孔９１２Ａ（図６参照）に挿入された際に、Ｕ字形状の内周部分がオスコンタクト５２２Ｃの外周部分に当接し、当該オスコンタクト５２２Ｃに電気的に接続する。
第２ピン状部９１５Ｂは、コンタクト本体９１５ＡにおけるＵ字形状の基端部分からレセプタクル９１の基端側に向けて中心軸Ａｘ´に沿って直線的に突出する。
そして、図９中、上側の第２領域Ａｒ２´内に配設された複数の第２メスコンタクト９１５は、コンタクト本体９１５ＡにおけるＵ字形状の開口部分が上側を向くように、各挿入孔９１２Ａに設けられる。一方、下側の第２領域Ａｒ２´内に配設された複数の第２メスコンタクト９１５は、コンタクト本体９１５ＡにおけるＵ字形状の開口部分が下側を向くように、各挿入孔９１２Ａに設けられる。
【００５６】
〔第１プリント基板の構成〕
第１プリント基板９２は、電気信号を光信号に変換する光電変換素子９２Ａが実装されたリジッド基板で構成されている。そして、第１プリント基板９２は、レセプタクル９１の複数の第１メスコンタクト９１４に電気的に接続し、撮像素子５２３から出力され、気密部側プリント基板５２４、複数の第１オスコンタクト５２２Ｄ、及び複数の第１メスコンタクト９１４を介した撮像信号（差動信号（＋）及び差動信号（−））を光電変換素子９２Ａに中継する。
ここで、光電変換素子９２Ａには、図７に示すように、複数の光ファイバ６１が接続されている。すなわち、光電変換素子９２Ａは、撮像信号（差動信号（＋）及び差動信号（−））を光信号に変換して複数の光ファイバ６１に出力する。
この第１プリント基板９２は、図７に示すように、中心軸Ａｘ´に沿って、レセプタクル９１の基端側に配設される。
【００５７】
具体的に、第１プリント基板９２は、以下に示すように、レセプタクル９１に対して取り付けられる。
すなわち、第１プリント基板９２は、図７中、上側の第１列目の複数の第１メスコンタクト９１４（第１ピン状部９１４Ｂ）と、下側の第２列目の複数の第１メスコンタクト９１４（第１ピン状部９１４Ｂ）との間に差し込まれる。この状態では、第１，２列目の複数の第１ピン状部９１４Ｂは、第１プリント基板９２に押圧されることで弾性変形しながら第１プリント基板９２を挟持する。また、第１，第２列目の複数の第１ピン状部９１４Ｂは、第１プリント基板９２の表裏面に形成されたランド（図示略）に電気的に接続する。そして、第１プリント基板９２は、上記の状態で、各第１ピン状部９１４Ｂとランドとが半田付けされることで、レセプタクル９１に対して取り付けられる。
【００５８】
〔第２プリント基板の構成〕
２つの第２プリント基板９３は、フレキシブル基板で構成され、制御装置８から出力され、複数の電気信号ケーブル６２を介した制御信号等（電気信号）を複数の第２メスコンタクト９１５に中継する。すなわち、複数の第２メスコンタクト９１５に中継された制御信号等（電気信号）は、複数の第２オスコンタクト５２２Ｅ、及び気密部側プリント基板５２４を介して、撮像素子５２３に出力される。
これら２つの第２プリント基板９３は、同一の構成を有する。以下では、１つの第２プリント基板９３の構成を説明する。
第２プリント基板９３は、図７に示すように、第１接続部９３１と、第２接続部９３２と、第１，第２接続部９３１，９３２間に架設された架設部９３３とを備える。
【００５９】
第１接続部９３１は、１つの第２領域Ａｒ２´に対応した形状を有する。また、第１接続部９３１には、当該第２領域Ａｒ２´内に配設された複数の第２メスコンタクト９１５（第２ピン状部９１５Ｂ）にそれぞれ対応した複数の孔９３１Ａ（図７）が形成されている。
そして、第１接続部９３１は、各孔９３１Ａに各第２メスコンタクト９１５を挿通した状態でインシュレータ９１２の基端側の端面にあてがわれ、各孔９３１Ａの周縁に設けられたランド９３１Ｂ（図７）と各第２ピン状部９１５Ｂとが半田付けされることで、レセプタクル９１に対して取り付けられる。
【００６０】
第２接続部９３２は、図７に示すように、レセプタクル９１に対して取り付けられた第１接続部９３１に対して架設部９３３を折り曲げることで、第１プリント基板９２に対して、図７中、重なり合う位置に配設される。
この第２接続部９３２の表面には、図７に示すように、略矩形形状を有する複数のランド９３２Ａが形成されている。そして、第２接続部９３２は、複数のランド９３２Ａに複数の電気信号ケーブル６２が半田付けされることで、複数の電気信号ケーブル６２と電気的に接続される。
【００６１】
以上説明した本実施の形態に係るレセプタクル９１では、複数の第１メスコンタクト９１４は、第１外郭９１１の中心軸Ａｘ´に沿う方向から見て、二列で並設されている。このため、複数の第１メスコンタクト９１４が一列で並設された構成と比較して、並設方向に沿った幅寸法が大きくなることを回避することができる。
また、複数の第１メスコンタクト９１４は、対となるメス側第１，第２差動コンタクト９１６，９１７同士が隣り合い、かつ、対となるメス側第１，第２差動コンタクト９１６，９１７のうちメス側第１差動コンタクト９１６に隣り合うメス側グランドコンタクト９１８の数とメス側第２差動コンタクト９１７に隣り合うメス側グランドコンタクト９１８の数とが等しくなるように配設されている。すなわち、各差動信号の所謂、グランドガード数を等しくすることができ、信号の劣化を防止することができる。
したがって、本実施の形態に係るレセプタクル９１によれば、小型化を図りつつ信号の劣化を防止することができる、という効果を奏する。なお、ハーメチックコネクタ５２２も同様の効果を奏する。
【００６２】
また、本実施の形態に係るレセプタクル９１では、複数の第１メスコンタクト９１４は、第１外郭９１１の中心軸Ａｘ´に沿う方向から見て、正三角格子の一部を構成するように配設されている。
このため、メス側グランドコンタクト９１８と、対となるメス側第１，第２差動コンタクト９１６，９１７との各距離が同一となる。すなわち、グランドを基準として、対となる差動信号のバランスを確保することができ、信号の劣化をさらに防止することができる。なお、ハーメチックコネクタ５２２も同様の効果を奏する。
【００６３】
また、本実施の形態に係るレセプタクル９１では、４つの対となるメス側第１，第２差動コンタクト９１６，９１７は、第１外郭９１１の中心軸Ａｘ´に沿う方向から見て、略Ｗ字形状を形成するように配設されている。
このため、メス側グランドコンタクト９１８の数を比較的に少ない数（３つ）とすることができる。すなわち、メス側グランドコンタクト９１８の数を低減することにより、レセプタクル９１の小型化が図れる。なお、ハーメチックコネクタ５２２も同様の効果を奏する。
【００６４】
また、本実施の形態に係るレセプタクル９１では、複数の第１メスコンタクト９１４は、第１外郭９１１の中心軸Ａｘ´に沿う方向から見て、第１，第２側壁部９１４Ａ１，９１４Ａ２を有するＬ字状の第１接触部９１４Ａを備える。また、複数の第１メスコンタクト９１４は、並設方向に沿って隣り合う第２側壁部９１４Ａ２同士の各離間距離Ｄが同一になるようにそれぞれ配設されている。
このため、並設方向に沿って隣り合う第２側壁部９１４Ａ２同士の各離間距離Ｄを十分に大きく確保することができる。言い換えれば、組が異なるメス側第１，第２差動コンタクト９１６，９１７（例えば、図１０中、下側の第２列目において、最も左側のメス側第２差動コンタクト９１７と左から二番目のメス側第１差動コンタクト９１６）における各第２側壁部９１４Ａ２同士の離間距離Ｄを十分に大きく確保することができる。このため、組が異なる差動信号（＋）及び差動信号（−）の結合度（電場干渉）を小さくすることができ、クロストークを抑制して信号の劣化をさらに一層防止することができる。また、第１接触部９１４ＡをＬ字形状とすることで、当該第１接触部９１４Ａの強度も十分に維持することができる。
【００６５】
また、本実施の形態に係るレセプタクル９１では、４つの対となるメス側第１，第２差動コンタクト９１６，９１７は、一方の差動コンタクトが図１０中、上側の第１列目に配設され、他方の差動コンタクトが下側の第２列目に配設される。そして、当該一方の差動コンタクト及び他方の差動コンタクトは、中心に位置する点Ｏを基準として対称となるように配設されている。
このため、点Ｏを基準として、対となる差動信号間のバランスを確保することができ、信号の劣化をさらに防止することができる。
【００６６】
ところで、従来のハーメチックコネクタでは、板体における複数のオスコンタクトがそれぞれ挿通される複数の開口部の開口面積（径）は、全て同一の開口面積（径）となるように形成されている。すなわち、複数の開口部を封止する各絶縁部材のサイズも同一となるように形成されている。
ここで、差動信号の周波数を高くする場合には、板体とオスコンタクトとの絶縁距離を確保するために、複数の開口部の開口面積（径）を大きくする必要がある。
すなわち、従来のハーメチックコネクタでは、上述した場合に対応させるために、全ての開口部の開口面積（径）を大きくする必要がある。結果として、板体における全ての開口部（絶縁部材）が占める面積が大きくなり、ハーメチックコネクタの外径が大きくなってしまう。
【００６７】
これに対して、本実施の形態では、板体５２２Ｂにおいて、オス側第１，第２差動コンタクト５２２Ｆ，５２２Ｇが挿通される開口部５２２Ｂ１は、同一の開口面積（径）となるように形成されているとともに、オス側グランドコンタクト５２２Ｈが挿通される開口部５２２Ｂ１の開口面積（径）よりも大きくなるように形成されている。また、これに伴い各絶縁部材５２２Ｂ２のサイズも上述した各開口部５２２Ｂ１の開口面積（径）に対応するように形成されている。
言い換えれば、本実施の形態では、差動信号の周波数を高くした場合に対応させるために最低限必要な板体５２２Ｂとオス側第１，第２差動コンタクト５２２Ｆ，５２２Ｇとの絶縁距離のみを確保した構成としている。すなわち、オス側グランドコンタクト５２２Ｈや第２オスコンタクト５２２Ｅが挿通される開口部５２２Ｂ１の開口面積（径）を極力小さくして、板体５２２Ｂにおける全ての開口部５２２Ｂ１（絶縁部材５２２Ｂ２）が占める面積を極力小さくした構成としている。このため、ハーメチックコネクタ５２２の小径化（小型化）を図ることができる。
【００６８】
（その他の実施の形態）
ここまで、本発明を実施するための形態を説明してきたが、本発明は上述した実施の形態によってのみ限定されるべきものではない。
上述した実施の形態において、第１メスコンタクト９１４（第１オスコンタクト５２２Ｄ）の数は、上述した実施の形態で説明した数（１１個）に限られない。
図１１は、本発明に係る実施の形態の変形例を示す図である。具体的に、図１１は、第１外郭９１１（第２外郭５２２Ａ）の中心軸Ａｘ´（中心軸Ａｘ）に沿う方向から第１メスコンタクト９１４（第１オスコンタクト５２２Ｄ）を見た図である。
なお、図１１では、説明の便宜上、第１メスコンタクト９１４（第１オスコンタクト５２２Ｄ）を仮想的に「○」で図示している。また、当該「○」の内部に付された「＋」、「−」、「Ｇ」の文字は、差動信号（＋）、差動信号（−）、及びグランドがそれぞれ割り当てられていることを示している。さらに、対となる差動信号（＋）及び差動信号（−）が割り当てられた対となる第１メスコンタクト９１４（第１オスコンタクト５２２Ｄ）については、一点鎖線で囲んでいる。
第１メスコンタクト９１４（第１オスコンタクト５２２Ｄ）の数としては、図１１に示すように、１４個で構成しても構わない。このように構成した場合であっても、上述した実施の形態と同様に、１４個の第１メスコンタクト９１４（第１オスコンタクト５２２Ｄ）を、正三角格子の一部を構成するように、二列で並設することが好ましい。
具体的に、図１１中、上側の第１列目の７個の第１メスコンタクト９１４（第１オスコンタクト５２２Ｄ）は、対となるメス側第１，第２差動コンタクト９１６，９１７（オス側第１，第２差動コンタクト５２２Ｆ，５２２Ｇ）、メス側グランドコンタクト９１８（オス側グランドコンタクト５２２Ｈ）、対となるメス側第１，第２差動コンタクト９１６，９１７（オス側第１，第２差動コンタクト５２２Ｆ，５２２Ｇ）、メス側グランドコンタクト９１８（オス側グランドコンタクト５２２Ｈ）、及びメス側グランドコンタクト９１８（オス側グランドコンタクト５２２Ｈ）の順に図１１中、左から右へ並設されている。一方、下側の第２列目の７個の第１メスコンタクト９１４（第１オスコンタクト５２２Ｄ）は、メス側グランドコンタクト９１８（オス側グランドコンタクト５２２Ｈ）、メス側グランドコンタクト９１８（オス側グランドコンタクト５２２Ｈ）、対となるメス側第１，第２差動コンタクト９１６，９１７（オス側第１，第２差動コンタクト５２２Ｆ，５２２Ｇ）、メス側グランドコンタクト９１８（オス側グランドコンタクト５２２Ｈ）、及び対となるメス側第１，第２差動コンタクト９１６，９１７（オス側第１，第２差動コンタクト５２２Ｆ，５２２Ｇ）の順に図１１中、左から右へ並設されている。
すなわち、４つの対となるメス側第１，第２差動コンタクト９１６，９１７（オス側第１，第２差動コンタクト５２２Ｆ，５２２Ｇ）の各々は、第１列目または第２列目に配設される。
【００６９】
上述した実施の形態において、第１接触部９１４Ａとは異なる他の形状を有する接触部（例えば、以下に示す第２接触部９１４Ａ´や第３接触部９１４Ａ´´）を採用しても構わない。
図１２及び図１３は、本発明に係る実施の形態の変形例を示す図である。具体的に、図１２及び図１３は、図１０に対応した図である。
例えば、図１２に示すように、上述した実施の形態で説明した第１接触部９１４Ａから第２側壁部９１４Ａ２を省略した板状の第２接触部９１４Ａ´を採用しても構わない。このように構成した場合であっても、組が異なる差動信号（＋）及び差動信号（−）の結合度（電場干渉）を小さくすることができ、クロストークを抑制して信号の劣化を防止することができる。
また、例えば、図１３に示すように、上述した実施の形態で説明した第１接触部９１４Ａに対して、第２側壁部９１４Ａ２に対向する第３側壁部９１４Ａ３を有するＵ字状の第３接触部９１４Ａ´´を採用しても構わない。このように構成した場合には、当該第３接触部９１４Ａ´´の強度を高めることができる。
【００７０】
上述した実施の形態において、図１０中、下側の第２列目の左から三番目のメス側グランドコンタクト９１８を省略しても構わない。なお、ハーメチックコネクタ５２２でも同様である。また、図１２及び図１３に示した構成でも同様である。このように構成した場合には、メス側第１，第２差動コンタクト９１６，９１７のグランドガード数を全て１つとすることができる。すなわち、メス側グランドコンタクト９１８の数を最低限の数とし、レセプタクル９１の小型化が図れる。
【００７１】
上述した実施の形態において、レセプタクル９１を省略し、気密部５２の基端側に取り付けられたハーメチックコネクタ５２２に対して、気密部５２の外部から、第１，第２プリント基板９２，９３を直接、接続した構成としても構わない。この際、第１プリント基板９２の取付作業を考慮した場合には、ハーメチックコネクタ５２２の複数のオスコンタクト５２２Ｃの形状を、レセプタクル９１の第１ピン状部９１４Ｂと同様の形状（弾性変形を可能とする板バネ形状）とすることが好ましい。
【００７２】
上述した実施の形態では、本発明に係る配線接続装置として、丸型コネクタ（レセプタクル９１、ハーメチックコネクタ５２２）を採用していたが、丸型以外の他の形状を有するコネクタを採用しても構わない。丸型以外の他の形状を有するコネクタを採用した場合には、第１プリント基板と電気的に接続する複数のコンタクトのピッチを十分に広く確保することができれば、第１プリント基板は、当該コネクタの中央の位置（当該コネクタの中心軸に沿う方向から見て中央の位置）以外の位置に配設しても構わない。
【００７３】
上述した実施の形態では、複数の第２メスコンタクト９１５のピッチ（第２のピッチＰ２）を複数の第１メスコンタクト９１４のピッチ（第１のピッチＰ１）よりも小さくしていたが、これに限られず、複数の第２メスコンタクト９１５のピッチを複数の第１メスコンタクト９１４のピッチ以上の長さに設定しても構わない。
【００７４】
上述した実施の形態において、内視鏡装置１は、医療分野に限られず、工業分野において用いられ、機械構造物等の観察対象物の内部を観察する内視鏡装置としても構わない。
【符号の説明】
【００７５】
１  内視鏡装置
２  挿入部
３  光源装置
４  ライトガイド
５  カメラヘッド
６  複合ケーブル
７  表示装置
８  制御装置
９  光電複合モジュール
５１  カプラー部
５２  気密部
５３  カバー部
６１  光ファイバ
６２  電気信号ケーブル
９１  レセプタクル
９２  第１プリント基板
９２Ａ  光電変換素子
９３  第２プリント基板
９４  被覆部材
５２１  ケーシング
５２２  ハーメチックコネクタ
５２２Ａ  第２外郭
５２２Ｂ  板体
５２２Ｃ  オスコンタクト
５２２Ｄ  第１オスコンタクト
５２２Ｅ  第２オスコンタクト
５２２Ｆ  オス側第１差動コンタクト
５２２Ｇ  オス側第２差動コンタクト
５２２Ｈ  オス側グランドコンタクト
５２３  撮像素子
５２４  気密部側プリント基板
９１１  第１外郭
９１２  インシュレータ
９１２Ａ  挿入孔
９１３  メスコンタクト
９１４  第１メスコンタクト
９１４Ａ  第１接触部
９１４Ａ´  第２接触部
９１４Ａ´´  第３接触部
９１４Ａ１  第１側壁部
９１４Ａ２  第２側壁部
９１４Ａ３  第３側壁部
９１４Ｂ  第１ピン状部
９１５  第２メスコンタクト
９１５Ａ  コンタクト本体
９１５Ｂ  第２ピン状部
９１６  メス側第１差動コンタクト
９１７  メス側第２差動コンタクト
９１８  メス側グランドコンタクト
９３１  第１接続部
９３１Ａ  孔
９３１Ｂ  ランド
９３２  第２接続部
９３２Ａ  ランド
９３３  架設部
Ａｒ１，Ａｒ１´  第１領域
Ａｒ２，Ａｒ２´  第２領域
Ａｘ，Ａｘ´  中心軸
Ｄ  離間距離
Ｏ  点
Ｐ１  第１のピッチ
Ｐ２  第２のピッチ  
【図１】
2015181096.tif 000003
【図２】
2015181096.tif 000004
【図３】
2015181096.tif 000005
【図４】
2015181096.tif 000006
【図５】
2015181096.tif 000007
【図６】
2015181096.tif 000008
【図７】
2015181096.tif 000009
【図８】
2015181096.tif 000010
【図９】
2015181096.tif 000011
【図１０】
2015181096.tif 000012
【図１１】
2015181096.tif 000013
【図１２】
2015181096.tif 000014
【図１３】
2015181096.tif 000015